(57)【要約】【課題】設定温度が高温の場合に、温度が表示されなくなるまでの時間を長く設定することにより、ユーザの安全性を確保しつつ、表示部の省電力化及び長寿命化を図る。【解決手段】この給湯機（温水供給システム）は、貯湯タンクと、貯湯タンクから供給される湯の温度を設定する温度設定手段と、温度設定手段によって設定された温度を表示する表示部１００と、所定時間にわたって機器の使用がない場合に、前記表示部１００における温度表示を消す表示制御部と、温度設定手段によって設定された温度（４０℃、６０℃）に応じて、表示部１００における温度表示が消えるまでの待機時間（１０分、５０分）を変更する待機時間変更手段とを備える。【選択図】図４
2011158106.tif 000002
【特許請求の範囲】
【請求項１】
貯湯タンクと、
前記貯湯タンクから供給される湯の温度を設定する温度設定手段と、
前記温度設定手段によって設定された温度を表示する表示部と、
所定時間にわたって機器の使用がない場合に、前記表示部における温度表示を消す表示制御手段と、
前記温度設定手段によって設定された温度に応じて、前記表示部における温度表示が消えるまでの待機時間を変更する待機時間変更手段とを備えることを特徴とする、温水供給システム。
【請求項２】
前記待機時間変更手段は、前記温度設定手段によって設定される温度が所定温度より低い場合、前記待機時間を第１の待機時間に設定すると共に、前記温度設定手段によって設定される温度が前記所定温度以上の場合、前記待機時間を第１の待機時間より長い第２の待機時間に設定することを特徴とする、請求項１に記載の温水供給システム。
【請求項３】
前記貯湯タンクから供給される湯と給水源から供給される水とを混合する混合弁をさらに備え、
前記混合弁は、湯の供給を停止してから所定時間が経過するまでは、その開度を直前の湯の供給時の開度のまま保持し、所定時間経過後は、その開度を水側に駆動し、
前記待機時間変更手段は、前記第２の待機時間を当該所定時間以上とすることを特徴とする、請求項２に記載の温水供給システム。
【請求項４】
貯湯タンクからの出湯を制御するコントローラであって、
前記貯湯タンクから供給される湯の温度を設定する温度設定手段と、
前記温度設定手段によって設定された温度を表示する表示部と、
所定時間にわたって機器の使用がない場合に、前記表示部における温度表示を消す表示制御手段と、
前記温度設定手段によって設定された温度に応じて、前記表示部における温度表示が消えるまでの待機時間を変更する待機時間変更手段とを備えることを特徴とする、コントローラ。
【請求項５】
給湯される湯の設定温度を表示する表示部と、所定時間にわたって機器の使用がない場合に、前記表示部の温度表示を消すコントローラにおいて、
前記表示部における温度表示が消えるまでの待機時間を前記設定温度に応じて変化させることを特徴とする、コントローラ。
【発明の詳細な説明】
【技術分野】
【０００１】
本発明は、温度表示を消すことが可能な表示部を備えた温水供給システム及びコントローラに関する。
【背景技術】
【０００２】
従来、カランやシャワーなどの給湯端末における給湯温度を設定するためのボタン等の操作がなされない状態で所定時間が経過したとき、表示部の表示を消灯して省エネを図る技術が種々提案されている（例えば、特許文献１参照）。この特許文献１に開示されるリモコン装置では、ユーザの好みに応じて、表示部の表示が消灯されるまでの待機時間が変更可能となっている。
【先行技術文献】
【特許文献】
【０００３】
【特許文献１】特開２００６−３４９２１９号公報
【発明の概要】
【発明が解決しようとする課題】
【０００４】
しかしながら、上記特許文献１に開示されるリモコン装置を備えた給湯機では、給湯端末から給湯される湯の温度に関わらず、待機時間経過後に表示部の表示が消灯する。この場合、設定温度を確認しないまま給湯を行なうと、ユーザが予想しない高温の湯が出てしまう場合がある。そこで、表示部を常時点灯させることによって、ユーザに設定温度を報知することが考えられるが、この場合には、表示部が常時点灯することで表示部の省電力化及び長寿命化を図ることができなかった。
【０００５】
そこで、この発明は、上記のような課題を解決するためになされたものであり、設定温度が高温の場合に、温度が表示されなくなるまでの時間を長く設定することにより、ユーザの安全性を確保しつつ、表示部の省電力化及び長寿命化を図ることが可能な温水供給システム及びコントローラを提供することを目的とする。
【課題を解決するための手段】
【０００６】
上記課題を解決するために、第１の発明にかかる温水供給システムは、貯湯タンクと、前記貯湯タンクから供給される湯の温度を設定する温度設定手段と、前記温度設定手段によって設定された温度を表示する表示部と、所定時間にわたって機器の使用がない場合に、前記表示部における温度表示を消す表示制御手段と、前記温度設定手段によって設定された温度に応じて、前記表示部における温度表示が消えるまでの待機時間を変更する待機時間変更手段とを備えている。
【０００７】
この温水供給システムでは、温度設定手段により設定される設定温度が高温の場合に、温度が表示されなくなるまでの待機時間を長く設定することにより、ユーザの安全性を確保しつつ、表示部の省電力化及び長寿命化を図ることができる。
【０００８】
第２の発明にかかる温水供給システムは、第１の発明にかかる温水供給システムにおいて、前記待機時間変更手段は、前記温度設定手段によって設定される温度が所定温度より低い場合、前記待機時間を第１の待機時間に設定すると共に、前記温度設定手段によって設定される温度が前記所定温度以上の場合、前記待機時間を第１の待機時間より長い第２の待機時間に設定する。
【０００９】
この温水供給システムでは、設定温度が高温の場合に、温度が表示されなくなるまでの待機時間が長くなるので、ユーザの安全性を確保しつつ、表示部の省電力化及び長寿命化を図ることができる。また、設定温度が低温の場合は、ユーザが予想しない高温の湯が給湯される心配がないので、温度が表示されなくなるまでの待機時間を短くして、表示部の省電力化及び長寿命化を図ることができる。
【００１０】
第３の発明にかかる温水供給システムは、第２の発明に係る温水供給システムにおいて、前記貯湯タンクから供給される湯と給水源から供給される水とを混合する混合弁をさらに備え、前記混合弁は、湯の供給を停止してから所定時間が経過するまでは、その開度を直前の湯の供給時の開度のまま保持し、所定時間経過後は、その開度を水側に駆動し、前記待機時間変更手段は、前記第２の待機時間を当該所定時間以上とする。
【００１１】
この温水供給システムでは、設定温度が高温の場合に、混合弁が閉じるまで、表示部に温度が表示されるので、ユーザの安全性を確保を確保することができる。そして、温度表示が消えているときには、既に混合弁が閉じて配管内の湯の温度が下がり且つ混合弁の開度が水側に駆動しているので、いきなり高温の湯が供給されることがない。その結果、ユーザの安全性を確保することができる。
【００１２】
第４の発明にかかるコントローラは、貯湯タンクからの出湯を制御するコントローラであって、前記貯湯タンクから供給される湯の温度を設定する温度設定手段と、前記温度設定手段によって設定された温度を表示する表示部と、所定時間にわたって機器の使用がない場合に、前記表示部における温度表示を消す表示制御手段と、前記温度設定手段によって設定された温度に応じて、前記表示部における温度表示が消えるまでの待機時間を変更する待機時間変更手段とを備える。
【００１３】
このコントローラでは、温度設定手段により設定される設定温度が高温の場合に、温度が表示されなくなるまでの待機時間を長く設定することにより、ユーザの安全性を確保しつつ、表示部の省電力化及び長寿命化を図ることができる。
【００１４】
第５の発明にかかるコントローラは、給湯される湯の設定温度を表示する表示部と、所定時間にわたって機器の使用がない場合に、前記表示部の温度表示を消すコントローラにおいて、前記表示部における温度表示が消えるまでの待機時間を前記設定温度に応じて変化させる。
【００１５】
このコントローラでは、設定温度が高温の場合に、温度が表示されなくなるまでの時間を長く設定することにより、ユーザの安全性を確保しつつ、表示部の省電力化及び長寿命化を図ることができる。
【発明の効果】
【００１６】
以上の説明に述べたように、本発明によれば、以下の効果が得られる。
【００１７】
第１の発明では、温度設定手段により設定される設定温度が高温の場合に、温度が表示されなくなるまでの待機時間を長く設定することにより、ユーザの安全性を確保しつつ、表示部の省電力化及び長寿命化を図ることができる。
【００１８】
また、第２の発明では、設定温度が高温の場合に、温度が表示されなくなるまでの待機時間が長くなるので、ユーザの安全性を確保しつつ、表示部の省電力化及び長寿命化を図ることができる。また、設定温度が低温の場合は、ユーザが予想しない高温の湯が給湯される心配がないので、温度が表示されなくなるまでの待機時間を短くして、表示部の省電力化及び長寿命化を図ることができる。
【００１９】
また、第３の発明では、設定温度が高温の場合に、混合弁が閉じるまで、表示部に温度が表示されるので、ユーザの安全性を確保を確保することができる。そして、温度表示が消えているときには、既に混合弁が閉じて配管内の湯の温度が下がり且つ混合弁の開度が水側に駆動しているので、いきなり高温の湯が供給されることがないので、ユーザの安全性を確保することができる。
【００２０】
また、第４及び第５の発明では、設定温度が高温の場合に、温度が表示されなくなるまでの時間を長く設定することにより、ユーザの安全性を確保しつつ、表示部の省電力化及び長寿命化を図ることができる。
【図面の簡単な説明】
【００２１】
【図１】本発明の第１実施形態に係る給湯機の配管系統図である。
【図２】リモコンの正面図である。
【図３】リモコンの制御部のブロック図である。
【図４】（ａ）給湯温度が高温の場合の表示部の動作と（ｂ）給湯温度が低温の場合の表示部の動作とを示した図である。
【図５】リモコンが待機モードに入るまでの動作を示したフローチャートである。
【図６】本発明の第２実施形態にかかるリモコンが待機モードに入るまでの動作を示したフローチャートである。
【図７】本発明の第３実施形態にかかるリモコンが待機モードに入るまでの動作を示したフローチャートである。
【発明を実施するための形態】
【００２２】
以下、図面に基づいて、本発明に係る温水供給システムの実施形態について説明する。なお、本実施形態では、温水供給システムの一例としての給湯機１について説明する。
【００２３】
［給湯機の構成］
給湯機（温水供給システム）１は、図１に示すように、カランＡ、シャワーＢ及び風呂Ｃ（以下、カランＡ、シャワーＢ及び風呂Ｃを総称して適宜「給湯端末」とする）に湯を供給する装置であって、図１に示すように、ヒートポンプユニット１ａと、貯湯ユニット１ｂと、リモコン１ｃとを備えている。この第１実施形態の給湯機１では、温水の供給先としてカランＡ、シャワーＢ及び風呂Ｃを例示したが、本発明の温水供給システムは、上記給湯端末Ａ，Ｂ，Ｃに限らず、床暖房パネル等に代表される温水を循環させる端末を備えていても良い。
【００２４】
［ヒートポンプユニット１ａ］
ヒートポンプユニット（加熱手段）１ａは、貯湯タンク２０の下部から供給される水を加熱し、その加熱した湯を貯湯タンク２０に供給する。このヒートポンプユニット１ａは、圧縮機１０と、水熱交換器１１と、電動膨張弁１２と、空気熱交換機１３と、ファン１４とを有している。そして、この圧縮機１０、水熱交換器１１、電動膨張弁１２、空気熱交換機１３及び弁類等が冷媒配管１５によって環状に接続されることにより冷媒回路１６を構成している。この冷媒回路１６上には、水熱交換器１１から出る高温高圧の冷媒と空気熱交換機１３から出る冷温低圧の冷媒との間で熱交換を行うためのガス熱交換器１７が配置されている。
【００２５】
［貯湯ユニット１ｂ］
貯湯ユニット１ｂは、貯湯タンク２０と、沸き上げ循環回路３０と、追焚循環回路４０と、風呂循環回路５０と、給湯回路６０及び７０と、給水回路８０とを有している。
【００２６】
［貯湯タンク２０］
貯湯タンク２０は、ヒートポンプユニット１ａにより沸き上げられた湯を貯湯している。この貯湯タンク２０には、上記した沸き上げ循環回路３０、追焚循環回路４０、風呂給湯回路６０、カラン・シャワー給湯回路７０及び給水回路８０が接続されており、ヒートポンプユニット１ａにより沸き上げられた湯は、沸き上げ循環回路３０、追焚循環回路４０、風呂給湯回路６０及びカラン・シャワー給湯回路７０に供給されるように構成されている。この貯湯タンク２０の下部には、給水源Ｓから供給される水が給水回路８０を介して供給される。この貯湯タンク２０には、貯湯タンク２０の残湯量を検知する複数の残湯量サーミスタ２１が設けられている。これらの複数の残湯量サーミスタ２１は、貯湯タンク２０の異なる高さ位置にそれぞれ設けられている。
【００２７】
［沸き上げ循環回路３０］
沸き上げ循環回路３０は、貯湯タンク２０とヒートポンプユニット１ａとの間で湯を循環させるために設けられる回路であって、その回路上には、沸き上げポンプ３１と、上記した水熱交換器１１と、沸き上げ三方弁３２とが配置されている。この沸き上げ循環回路３０の一方端は、貯湯タンク２０の底部に接続されており、貯湯タンク２０の下部の低温の水が出水可能となっている。また、沸き上げ循環回路３０の他方端は、三方弁３２から分岐しており、その一方は貯湯タンク２０の頂部に接続されると共に、他方は貯湯タンク２０の底部に接続されている。これにより、ヒートポンプユニット１ａにより加熱された湯が低温の場合には、その低温の水を貯湯タンク２０の下部に戻すことが可能となると共に、ヒートポンプユニット１ａにより加熱された湯が高温の場合には、その高温の湯を貯湯タンク２０の上部に戻すことが可能となる。また、沸き上げ循環回路３０には、ヒートポンプユニット１ａに供給される水の温度（以下、入水温度とする）を検知する入水サーミスタ１８、及び、ヒートポンプユニット１ａにより加熱された水の温度（以下、出湯温度とする）を検知する出湯サーミスタ１９が設けられている。
【００２８】
［追焚循環回路４０］
追焚循環回路４０は、後述する風呂循環回路５０を循環する風呂Ｃの水を加熱するために設けられる循環回路である。この回路上には、追焚熱交換器４１と、熱交循環ポンプ４２とが配置されている。この追焚循環回路４０の一方端は、貯湯タンク２０の頂部に接続されており、貯湯タンク２０の上部の高温の湯が出湯可能となっている。また、追焚循環回路４０の他方端は、貯湯タンク２０の底部に接続されており、追焚熱交換器４１で熱交換された低温の水を貯湯タンク２０の下部に戻すことが可能となっている。
【００２９】
［風呂循環回路５０］
風呂循環回路５０は、風呂Ｃの湯を循環させる循環回路であって、上記した追焚循環回路４０を循環する湯と熱交換することにより風呂Ｃの水が加熱される。この回路上には、風呂循環ポンプ５１と、上記した追焚熱交換器４１とが配置されている。また、風呂循環回路５０には、風呂Ｃの湯の温度（風呂温度）を検知する風呂サーミスタ５２、及び、風呂Ｃの水位（以下、風呂水位とする）を検知する水位センサ５３が設けられている。
【００３０】
［風呂給湯回路６０］
風呂給湯回路６０は、貯湯タンク２０に貯湯される湯を風呂Ｃに供給するための回路であって、その回路上には、湯はり混合弁６１と、湯はり電磁弁６２と、逆止弁６３と、湯はり水量センサ６４と、逆止弁６５と、湯はりサーミスタ６６とが配置されている。この風呂給湯回路６０の一方端は、貯湯タンク２０の頂部に接続されており、貯湯タンク２０の上部の高温の湯が出湯可能となっている。また、風呂給湯回路６０の他方端は、風呂Ｃに接続されている。湯はり混合弁６１は、貯湯タンク２０から供給される湯と給水源Ｓから供給される水とを混合することによって、風呂Ｃに供給される湯の温度を調整する。また、湯はり水量センサ６４は、風呂Ｃに供給される湯の流量を検知するために設けられると共に、湯はりサーミスタ６６は、風呂Ｃに供給される湯の温度を検知するために設けられている。
【００３１】
本実施形態では、湯はり混合弁６１は、風呂Ｃに供給される湯の温度に応じて、その開度が調整される。この湯はり混合弁６１は、湯の供給を停止してから所定時間が経過するまでは、その開度を直前の湯の供給時の開度のまま保持するように構成されている。なお、湯の供給を停止してから湯はり混合弁６１の開度が閉じられるまでの時間を、第１開度保持時間（例えば、３０分）とする。これにより、湯の供給を停止してから、すぐに湯の供給を再開した場合に、直前の湯と同程度の温度の湯を供給することが可能となる。この湯はり混合弁６１は、第１開度保持時間経過後は、その開度を水側に駆動する。
【００３２】
［カラン・シャワー給湯回路７０］
カラン・シャワー給湯回路７０は、貯湯タンク２０に貯湯される湯をカランＡ及びシャワーＢに供給するための回路であって、その回路上には、給湯混合弁７１と、給湯水量センサ７２と、給湯サーミスタ７３とが配置されている。このカラン・シャワー給湯回路７０の一方端は、貯湯タンク２０の頂部に接続されており、貯湯タンク２０の上部の高温の湯が出湯可能となっている。また、カラン・シャワー給湯回路７０の他方端は、カランＡ及びシャワーＢに接続されている。給湯混合弁７１は、貯湯タンク２０から供給される湯と給水源Ｓから供給される水とを混合することによって、カランＡ及びシャワーＢに供給される湯の温度を調整する。また、給湯水量センサ７２は、カランＡ及びシャワーＢに供給される湯の流量を検知するために設けられると共に、給湯サーミスタ７３は、カランＡ及びシャワーＢに供給される湯の温度を検知するために設けられている。
【００３３】
また、給湯混合弁７１は、上記した湯はり混合弁６１と同様に、カランＡ及びシャワーＢに供給される湯の温度に応じて、その開度が調整される。この給湯混合弁７１は、湯の供給を停止してから所定時間が経過するまでは、その開度を直前の湯の供給時の開度のまま保持するように構成されている。なお、湯の供給を停止してから給湯混合弁７１の開度が閉じられるまでの時間を、第２開度保持時間（例えば、３０分）とする。これにより、湯の供給を停止してから、すぐに湯の供給を再開した場合に、直前の湯と同程度の温度の湯を供給することが可能となる。この給湯混合弁７１は、第２開度保持時間経過後は、その開度を水側に駆動する。
【００３４】
［給水回路８０］
給水回路８０は、給水源Ｓから供給される水道水を貯湯タンク２０、湯はり混合弁６１及び給湯混合弁７１に供給する回路である。この給水回路８０の給水源Ｓから貯湯タンク２０までの回路上には、ストレーナ８１と、逆止弁８２と、水温サーミスタ８３と、逆止弁８４とが配置されている。水温サーミスタ８３は、給水源Ｓから貯湯タンク２０に供給される水道水の温度を検知するために設けられている。
【００３５】
［制御部９０］
給湯機１には、マイコンやメモリ等により構成される制御部９０が設けられている。この制御部９０は、上記した入水サーミスタ１８、出湯サーミスタ１９、複数の残湯量サーミスタ２１、給湯水量センサ７２、給湯サーミスタ７３、熱交循環ポンプ４２、風呂サーミスタ５２、風呂循環ポンプ５１、水位センサ５３、湯はり水量センサ６４、湯はりサーミスタ６６、リモコン１ｃ等と有線又は無線により通信可能に接続されている。例えば、ユーザー等によりリモコン１ｃに入力された給湯機１の運転指令は、制御部９０へと送られ、制御部９０は、当該運転指令に基づいて各構成に対して制御信号を出力することにより給湯機１の運転を制御する。
【００３６】
［リモコン１ｃ］
リモコン１ｃは、カランＡが設けられる台所に設置される台所リモコン、風呂Ｃが設置される浴室に設けられる浴室リモコンなどがある。この台所リモコン及び浴室リモコンは、ユーザの操作に応じて、貯湯タンク２０からの出湯を制御するためのコントローラであって、台所リモコンは、カランＡ及びシャワーＢに係る給湯を制御するために設けられ、浴室リモコンは、風呂Ｃに係る給湯を制御するために設けられている。
【００３７】
リモコン１ｃは、図２に示すように、カランＡ及びシャワーＢに供給される湯の設定温度や貯湯タンク２０の残湯量を表示する表示部１００と、各種ボタンが設けられる操作部１０１と、音声を出力するスピーカ１０２と、リモコン１ｃの各種制御を行う制御部１１０とを備えている。表示部１００は、液晶モニタであって、日時（図中『１０／１０（火）１０：１９』）、カランＡ及びシャワーＢの設定温度（図中『４２℃』）、風呂Ｃの設定温度（図中『４２℃』）、残湯量（図中『１００Ｌ』及び残湯量が示されたタンクのイメージ図）などが表示される。また、操作部１０１には、カランＡ及びシャワーＢの設定温度、及び、風呂Ｃの設定温度を設定するための温度設定ボタン１０１ａや各種設定変更を行うためのメニューボタン１０１ｂなどが設けられている。なお、リモコン１ｃには、操作部１０１の各ボタンを覆う蓋１０３（図３参照）が設けられている。また、スピーカ１０２は、上記したボタンのプッシュ音や設定温度が変更されたことの報知音などを出力する。
【００３８】
本実施形態では、リモコン１ｃの制御部１１０は、図３に示すように、主として、表示制御部１１１と、温度設定部１１２と、待機時間変更部１１３と、記憶部１１４と、タイマ１１５と、蓋開閉検知部１１６とを備えている。
【００３９】
表示制御部１１１は、表示部１００の表示を制御する。具体的には、表示制御部１１１は、温度設定部１１２により設定温度が変更されたときに、表示部１００に表示される設定温度（図２では、給湯／シャワーが『４２℃』、ふろが『４２℃』）を変更したり、貯湯タンク２０の残湯量が変化したときに、表示部１００に表示される残湯量（図２では、『１００Ｌ』及びそのタンクのイメージ図の目盛）を変更したり、タイマ１１５で計時される日時（図２では、『１０／１０（火）１０：１９』）を表示部１００にを表示したりする。そして、本実施形態では、図４に示すように、表示制御部１１１は、所定時間以上にわたって機器の使用がない場合に、表示部１００における温度表示を消す。ここでは、表示制御部１１１は、表示部１００における温度が表示される画面を温度が表示されない画面に切り替えている。この温度が表示されない画面とは、表示部１００のバックライトを消灯して画面に何も表示しない状態、温度が表示される画面とは相関がないアニメーションが表示される状態（スクリーンセーバー）、若しくは、温度が表示される画面とは相関がない壁紙が表示される状態などがある。なお、上記した「機器の使用がない」とは、（１）リモコン１ｃの操作部１０１の各ボタンが操作されていない、（２）給湯端末における給湯が行なわれていない、（３）リモコン１ｃの蓋１０３が開閉されていない、等の意味を含んでいる。
【００４０】
温度設定部１１２は、上記した温度設定ボタン１０１ａの操作に応じて、カランＡ、シャワーＢ、風呂Ｃに供給される湯の温度を設定する。この温度設定部１１２によって設定される設定温度に係る情報は、制御部９０に送信され、湯はり混合弁６１及び給湯混合弁７１の開度調整に使用される。また、この温度設定部１１２によって設定される設定温度に係る情報は、表示制御部１１１に送信され、表示部１００に表示される設定温度に反映される。
【００４１】
待機時間変更部１１３は、温度設定部１１２によって設定された設定温度に応じて、表示部１００における温度表示が消えるまでの時間（以下、待機時間とする）を変更する。具体的には、図４に示すように、待機時間変更部１１３は、温度設定部１１２によって設定された設定温度が低温（例えば、５０℃未満）の場合には、待機時間を第１の待機時間（例えば、１０分）に設定すると共に、温度設定部１１２によって設定された設定温度が高温（例えば、５０℃以上）の場合には、待機時間を第２の待機時間（例えば、５０分）に設定する。本実施形態では、この設定温度が高温の場合に設定される第２の待機時間は、上記した開度保持時間（第１開度保持時間、第２開度保持時間）以上であり、待機時間変更部１１３は、設定温度が高温の場合に、混合弁６１，７１の開度が水側に駆動した後に、表示部１００の温度表示が消えるように第２の待機時間を設定する。
【００４２】
記憶部１１４は、種々の情報を記憶するために設けられており、本実施形態では、温度設定部１１２によって設定される設定温度に係る情報や、待機時間変更部１１３によって変更される待機時間に係る情報が記憶されている。
【００４３】
タイマ１１５は、現在時刻の計時や経過時間の計測を行なうために設けられている。このタイマ１１５で計時される現在時刻に係る情報は、表示制御部１１１に送信され、表示部１００の表示される日時に反映される。また、タイマ１１５は、上記した（１）リモコン１ｃの操作部１０１の各ボタンが操作されていない時間（無操作経過時間）を計測したり、（２）給湯端末における給湯が行なわれていない時間（給湯終了後経過時間）を計測したり、（３）リモコン１ｃの蓋１０３が開閉されていない時間（蓋未開閉経過時間）を測定したりする。
【００４４】
蓋開閉検知部１１６は、蓋１０３の開閉を検知しており、その検知結果は、タイマ１１５において、蓋未開閉経過時間を測定する際に利用される。また、この蓋開閉検知部１１６の検知結果は、表示制御部１１１に送信され、例えば、表示部１００が消灯している状態で、蓋開閉検知部１１６により蓋１０３が開かれたのが検知されると、表示制御部１１１により表示部１００が点灯される。
【００４５】
[待機モード突入フロー]
次に、図５のフローチャートを参照して、設定温度が表示される画面が消灯になる待機モードに入るまでの動作について説明する。
始めに、表示部１００に設定温度などが表示されると（ステップＳ１）、待機モードに入って良いか否かの判断が行なわれる（ステップＳ２）。例えば、試運転が行なわれているような場合、表示部１００の画面が消灯すると不便なので、当該判断が行なわれる。そして、待機モードに入ってよいと判断されると（ステップＳ２：Ｙｅｓ）、タイマ１１５により、（１）リモコン１ｃの操作部１０１の各ボタンが操作されていない時間（無操作経過時間）、（２）給湯端末における給湯が行なわれていない時間（給湯終了後経過時間）、及び、（３）リモコン１ｃの蓋１０３が開閉されていない時間（蓋未開閉経過時間）が測定される（ステップＳ３）。本実施形態では、タイマ１１５は、（１）リモコン１ｃの操作部１０１の各ボタンが操作されておらず、且つ、（２）給湯端末における給湯が行なわれておらず、且つ、（３）リモコン１ｃの蓋１０３が開閉されていない場合の経過時間をカウントしている。そして、カウント中に、上記した（１）、（２）、（３）のいずれかの条件が満たされなくなった場合に、当該カウントを終了する。以下、（１）〜（３）のすべての条件が満たされる経過時間を、「機器の使用がない時間」とする。
【００４６】
次に、温度設定部１１２によって設定された設定温度が高温か否かを判断する（ステップＳ４）。具体的には、設定温度がＴ＿Ｈｉｇｈ（予め設定されている定数であって、例えば、５０℃）以上か否かが判断される（ステップＳ４）。そこで、設定温度がＴ＿Ｈｉｇｈ以上であると判断されると（ステップＳ４：Ｙｅｓ）、待機時間を第２の待機時間に設定する（ステップＳ５）。具体的には、待機時間を示す変数Ｔ＿ｔａｉｋｉにＴ＿ｌｏｎｇ（予め設定されている定数であって、例えば、５０分）が代入される。
一方、設定温度がＴ＿Ｈｉｇｈ未満であると判断されると（ステップＳ４：Ｎｏ）、待機時間を第１の待機時間に設定する（ステップＳ６）。具体的には、待機時間を示す変数Ｔ＿ｔａｉｋｉにＴ＿ｓｈｏｒｔ（予め設定されている定数であって、例えば、１０分）が代入される。
【００４７】
そして、設定温度がＴ＿Ｈｉｇｈ以上の場合（ステップＳ４：Ｙｅｓ）には、タイマ１１５により測定される機器の使用がない時間が、第２の待機時間（Ｔ＿ｌｏｎｇ）を経過したか否かが判断され（ステップＳ７）、当該機器の使用がない時間が第２の待機時間（Ｔ＿ｌｏｎｇ）を経過している場合には（ステップＳ７：Ｙｅｓ）、待機モードに入る（ステップＳ９）。
一方、設定温度がＴ＿Ｈｉｇｈ未満の場合（ステップＳ４：Ｎｏ）には、タイマ１１５により測定される機器の使用がない時間が、第１の待機時間（Ｔ＿ｓｈｏｒｔ）を経過したか否かが判断され（ステップＳ８）、当該機器の使用がない時間が第１の待機時間（Ｔ＿ｓｈｏｒｔ）を経過している場合には（ステップＳ８：Ｙｅｓ）、待機モードに入る（ステップＳ９）。
【００４８】
待機モードに入ると（ステップＳ９）、表示部１００の表示が消灯して、表示部１００に表示される設定温度が消える（ステップＳ１０）。なお、ここでは表示部１００の表示が消灯することについて説明したが、上記したように、当該表示部１００はスクリーンセーバであっても壁紙であっても良い。その後、操作部１０１の操作が行われたか否かが判断されて（ステップＳ１１）、操作部１０１の操作が行われた場合には（ステップＳ１１：Ｙｅｓ）、ステップＳ１に戻って、表示部１００に表示がなされる。操作部１０１の操作が行われない場合には（ステップＳ１１：Ｎｏ）、表示部１００が消灯され続ける（ステップＳ１０）。
【００４９】
［本実施形態の給湯機の特徴］
本実施形態の給湯機１には、以下のような特徴がある。
【００５０】
本実施形態の給湯機１では、設定温度が高温の場合に、温度が表示されなくなるまでの待機時間が長くなるので、ユーザの安全性を確保しつつ、表示部１００の省電力化及び長寿命化を図ることができる。また、設定温度が低温の場合は、ユーザが予想しない高温の湯が給湯される心配がないので、温度が表示されなくなるまでの待機時間を短くして、表示部１００の省電力化及び長寿命化を図ることができる。
【００５１】
また、本実施形態の給湯機１では、設定温度が高温の場合に、混合弁６１，７１が閉じるまで温度が表示されるので、ユーザの安全性を確保を確保することができる。そして、温度が表示されなくなっているときには、既に混合弁が閉じて配管内の湯の温度が下がり且つ混合弁６１，７１の開度が水側に駆動しているので、いきなり高温の湯が供給されることがない。その結果、ユーザの安全性を確保することができる。
【００５２】
（第２実施形態）
上記第１実施形態では、待機時間が第１の待機時間（Ｔ＿ｓｈｏｒｔ）又は第２の待機時間（Ｔ＿ｌｏｎｇ）の２パターンである場合について説明したが、この第２実施形態では、待機時間が２パターン以上である場合について説明する。なお、第１実施形態と同様の説明は適宜割愛する。
【００５３】
この第２実施形態では、図６に示すように、タイマ１１５により、機器の使用がない時間が測定された後、設定温度Ｔの判別を行なう（ステップＳ１２）。この設定温度Ｔの判別では、設定温度Ｔが高温（Ｔ≧Ｔ＿Ｈｉｇｈ）である場合には、ステップＳ１３に進み、設定温度Ｔが中温（Ｔ＿Ｌｏｗ≦Ｔ＜Ｔ＿Ｈｉｇｈ）である場合には、ステップＳ１４に進み、設定温度Ｔが低温（Ｔ＜Ｔ＿Ｌｏｗ）の場合には、ステップＳ１５に進む。そして、設定温度Ｔが高温（Ｔ≧Ｔ＿Ｈｉｇｈ）である場合には、待機時間をＴ＿ｌｏｎｇに設定し（ステップＳ１３）、設定温度が中温（Ｔ＿Ｌｏｗ≦Ｔ＜Ｔ＿Ｈｉｇｈ）である場合には、待機時間をＴ＿ｍｉｄｄｌｅに設定し（ステップＳ１４）、設定温度が低温（Ｔ＜Ｔ＿Ｌｏｗ）の場合には、待機時間をＴ＿ｓｈｏｒｔに設定する（ステップＳ１５）。
【００５４】
そして、設定温度が高温（Ｔ≧Ｔ＿Ｈｉｇｈ）の場合には、タイマ１１５により測定される機器の使用がない時間が、待機時間（Ｔ＿ｌｏｎｇ）を経過したか否かが判断され（ステップＳ１６）、当該機器の使用がない時間が待機時間（Ｔ＿ｌｏｎｇ）を経過している場合には（ステップＳ１６：Ｙｅｓ）、待機モードに入る（ステップＳ９）。
また、設定温度が中温（Ｔ＿Ｌｏｗ≦Ｔ＜Ｔ＿Ｈｉｇｈ）の場合には、タイマ１１５により測定される機器の使用がない時間が、待機時間（Ｔ＿ｍｉｄｄｌｅ）を経過したか否かが判断され（ステップＳ１７）、当該機器の使用がない時間が待機時間（Ｔ＿ｍｉｄｄｌｅ）を経過している場合には（ステップＳ１７：Ｙｅｓ）、待機モードに入る（ステップＳ９）。
また、設定温度が低温（Ｔ＜Ｔ＿Ｌｏｗ）の場合には、タイマ１１５により測定される機器の使用がない時間が、待機時間（Ｔ＿ｓｈｏｒｔ）を経過したか否かが判断され（ステップＳ１８）、当該機器の使用がない時間が待機時間（Ｔ＿ｓｈｏｒｔ）を経過している場合には（ステップＳ１８：Ｙｅｓ）、待機モードに入る（ステップＳ９）。
【００５５】
このように、本実施形態では、設定温度Ｔに応じて、待機時間が（１）Ｔ＿ｌｏｎｇ、（２）Ｔ＿ｍｉｄｄｌｅ、（３）Ｔ＿ｓｈｏｒｔの３パターンに区分される。これにより、第１実施形態に比べて、表示部１００が消灯するまでの時間を細かく制御することが可能となる。
【００５６】
（第３実施形態）
第１実施形態及び第２実施形態では、待機時間を予め決められた値（Ｔ＿ｌｏｎｇ、Ｔ＿ｍｉｄｄｌｅ、Ｔ＿ｓｈｏｒｔ）から選択する例について説明したが、この第３実施形態では、設定温度Ｔを変数とする関数により、待機時間を算出してもよい。なお、第１実施形態と同様の説明は適宜割愛する。
【００５７】
この第３実施形態では、図７に示すように、タイマ１１５により、機器の使用がない時間が測定された後、設定温度Ｔを変数とする関数Ｔ＿ｔａｉｋｉ＝ｆ（Ｔ）により、待機時間Ｔ＿ｔａｉｋｉを算出する（ステップＳ２１）。そして、タイマ１１５により測定される機器の使用がない時間が、上記関数により算出された待機時間（Ｔ＿ｔａｉｋｉ）を経過したか否かが判断され（ステップＳ２２）、当該機器の使用がない時間が待機時間（Ｔ＿ｔａｉｋｉ）を経過している場合には（ステップＳ２２：Ｙｅｓ）、待機モードに入る（ステップＳ９）。
【００５８】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００５９】
例えば、上記実施形態では、「機器の使用がない時間」を、（１）リモコン１ｃの操作部１０１の各ボタンが操作されておらず、（２）給湯端末における給湯が行なわれておらず、（３）リモコン１ｃの蓋１０３が開閉されていない、という３つの条件がすべて満たされたときの経過時間と定義したが、本発明はこれに限らず、（１）〜（３）の条件から選択される一又は二つの条件が満たされたときの経過時間を「機器の使用がない時間」としてもよい。
【産業上の利用可能性】
【００６０】
本発明を利用すれば、設定温度が高温の場合に、温度が表示されなくなるまでの時間を長く設定することにより、ユーザの安全性を確保しつつ、表示部の省電力化及び長寿命化を図ることが可能な温水供給システム（給湯機）を得ることができる。
【符号の説明】
【００６１】
１  給湯機（温水供給システム）
１ａ  ヒートポンプユニット
１ｂ  貯湯ユニット
１ｃ  リモコン（コントローラ）
２０  貯湯タンク
６１  湯はり混合弁（混合弁）
７１  給湯混合弁（混合弁）
１００  表示部
１０１  操作部
１１０  制御部
１１１  表示制御部（表示制御手段）
１１２  温度設定部（温度設定手段）
１１３  待機時間変更部（待機時間変更手段）
【図１】
2011158106.tif 000003
【図２】
2011158106.tif 000004
【図３】
2011158106.tif 000005
【図４】
2011158106.tif 000006
【図５】
2011158106.tif 000007
【図６】
2011158106.tif 000008
【図７】
2011158106.tif 000009